(57)【要約】【課題】バストを豊かに見せると共に乳房の形状を美しく保つ補整機能を有し、さらに乳房をサポートする機能が高く、かつ、乳房に苦痛を与えることのないブラジャーに内装するカップを提供すること及びこのカップを内在したブラジャーを提供する。【解決手段】ブラジャーのカップ部形状に成形したブラジャーに内装するカップ２の下部周辺のカップ下部周縁部３とカップ立ち上がり部４に乳房をサポートとする硬質プラスチックフレーム１１を内蔵していることを特徴とするブラジャーに内装する乳房サポート機能を有するカップ２【選択図】        図１
2004308066.tif 000002
【特許請求の範囲】
【請求項１】
ブラジャーのカップ部形状に成形したブラジャーに内装するカップの下部周辺のカップ下部周縁部とカップ立ち上がり部に乳房をサポートとする硬質プラスチックフレームを内蔵していることを特徴とするブラジャーに内装する乳房サポート機能を有するカップ。
【請求項２】
硬質プラスチックフレームは胸部及び乳房の立ち上がり部の形状に倣う断面く字状に成形された帯状プレートからなることを特徴とする請求項１に記載のブラジャーに内装する乳房サポート機能を有するカップ。
【請求項３】
ブラジャーに内装するカップはカップ部形状に成形したウレタンフォームからなることを特徴とする請求項１又は２に記載のブラジャーに内装する乳房サポート機能を有するカップ。
【請求項４】
ウレタンフォームはカップ部形状に成形した表材と裏材の２枚のウレタンフォームからなることを特徴とする請求項３に記載のブラジャーに内装する乳房サポート機能を有するカップ。
【請求項５】
ブラジャーに内装するカップはカップ部形状に成形した不織布からなることを特徴とする請求項１又は２に記載のブラジャーに内装する乳房サポート機能を有するカップ。
【請求項６】
不織布はカップ部形状に成形した表材と裏材の２枚の不織布からなることを特徴とする請求項５に記載のブラジャーに内装する乳房サポート機能を有するカップ。
【請求項７】
請求項１〜請求項６のいずれか１項に記載のカップをブラジャーに内在していることを特徴とする乳房サポート機能を有するブラジャー。
【発明の詳細な説明】
【０００１】
【発明の属する技術分野】
本発明は、女性の乳房をサポートし乳房形状を維持するフレームを有するブラジャーに内装するカップおよびブラジャー関する。
【０００２】
【従来の技術】
従来、ブラジャーは乳房を安定にサポートし、かつ乳房形状を補整するために女性に必須の下着である。現用されているブラジャーの大多数は、ブラジャーのカップ部の乳房に沿うカップ立ち上がり部の周縁にはアンダーバスト形状のワイヤーが内蔵されている。すなわち、ブラジャーに内蔵されるワイヤーは基本的には乳房立ち上がり部の周縁のアンダーバスト形状に沿う曲状に形づくられてカップ部周辺のブラジャーの布地の袋内に縫い込まれている。これらのブラジャーの布地内に内蔵されたワイヤーは女性の乳房にフィットして乳房を下から支え、左右の乳房を寄せて持ち上げる形状に形作られており、乳房形状を補整して、バストの形を美しく見せる機能を有する（例えば、特許文献１参照）。
【０００３】
しかし、これらの内蔵されたワイヤーは乳房をサポートし補整する機能の点では優れているが、ワイヤーを内蔵するブラジャー（以下、「ワイヤー入りブラジャー」という。）を着用していると、ワイヤーの部分がブラジャーの生地から局部的に突出して身体に当たって苦痛になることがある。
【０００４】
一方、バストを豊かに見せるために乳房をカバーして乳房全体をサポートするものとしてブラジャーに内装するウレタンフォームなどから成形されたカップ状の芯材が従来から慣用されている。ところがこのカップ状の芯材は乳房を豊かに見せることはできても、必ずしもバストのサポート機能の点で十分ではなかった。
【０００５】
【特許文献１】
特開２０００−３１４００８公報（図３）
【０００６】
【発明が解決しようとする課題】
本発明が解決しようとする課題は、バストを豊かに見せると共に乳房の形状を美しく保つ補整機能を有し、さらに乳房をサポートする機能が高く、かつ、乳房に苦痛を与えることのないブラジャーに内装するカップを提供すること及びこのカップを内在したブラジャーを提供することである。
【０００７】
【課題を解決するための手段】
上記の課題を解決するための本発明の手段は、請求項１の発明では、ブラジャーのカップ部形状に成形したブラジャーに内装するカップの下部周辺のカップ下部周縁部とカップ立ち上がり部に乳房をサポートとする硬質プラスチックフレームを内蔵していることを特徴とするブラジャーに内装する乳房サポート機能を有するカップである。
ある。
【０００８】
請求項２の発明では、硬質プラスチックフレームは胸部及び乳房の立ち上がり部の形状に倣う断面く字状に成形された帯状プレートからなることを特徴とする請求項１の手段のブラジャーに内装する乳房サポート機能を有するカップである。
【０００９】
請求項３の発明では、ブラジャーに内装するカップはカップ部形状に成形したウレタンフォームからなることを特徴とする請求項１又は２の手段のブラジャーに内装する乳房サポート機能を有するカップである。
【００１０】
請求項４の発明では、ウレタンフォームはカップ部形状に成形した表材と裏材の２枚のウレタンフォームからなることを特徴とする請求項３の手段のブラジャーに内装する乳房サポート機能を有するカップある。
【００１１】
請求項５の発明では、ブラジャーに内装するカップはカップ部形状に成形した不織布からなることを特徴とする請求項１又は２の手段のブラジャーに内装する乳房サポート機能を有するカップである。
【００１２】
請求項６の発明では、不織布はカップ部形状に成形した表材と裏材の２枚の不織布からなることを特徴とする請求項５の手段のブラジャーに内装する乳房サポート機能を有するカップである。
【００１３】
請求項７の発明では、請求項１〜請求項６のいずれか１項の手段のカップをブラジャーに内在していることを特徴とする乳房サポート機能を有するブラジャーである。
【００１４】
【発明の実施の形態】
本発明の実施の形態について、以下に図面を参照して説明する。図１は本発明の１実施の形態の硬質プラスチックフレーム内臓のカップを示す平面図である。図２は図１の矢視Ａ−Ａで示すカップの模式的断面図である。図３は図１の矢視Ａ−Ａで示す本発明の他の実施の形態のカップの模式的断面図である。図４は本発明のカップを内装するブラジャーを示す模式図である。
【００１５】
本発明におけるブラジャー１は、乳房の形状をしたブラジャー１の乳房形状のカップ部に内装のカップ２と、乳房周辺の胸のほぼ平坦な肌に当接してカップ２を保持するためのブラジャーベース１３と、ブラジャーベース１３から身体の脇側から背中に延びるベルト１４とカップ２の上方のブラジャーベース１３から肩に延び背中に達するストラップ１５からなっている。もちろん、ブラジャー１にはレースやその他フリル部分などの装飾部分を有するが、この発明の実施の形態では省略している。
【００１６】
本発明のブラジャー１に内装するカップ２の１実施の形態について説明する。図１において、本発明のカップ２は、カップ立ち上がり部４の周囲にカップ下部周縁部３が着用する女性の胸部の肌に平坦に倣う細い幅となって存在し、この細い幅のカップ下部周縁部３から直ぐにカップ立ち上がり部４となっている。カップ２には硬質プラスチックフレーム１１が挿入されて内蔵されている。カップ２に内蔵の硬質プラスチックフレーム１１は、身体の脇側１６のカップ立ち上がり部４の部分からカップの下側１７のカップ立ち上がり部４を経て乳房周縁のアンダーバスト１２の形状に沿って乳房間の胸中央側１８のカップ立ち上がり部４まで曲在している。ところで、この硬質プラスチックフレーム１１は身体の脇側１６の部分と胸中央側１８の部分のそれぞれ端部から中央下方へ約１０ｍｍの部分には内蔵されておらず、カップ２の素材のみである。このように硬質プラスチックフレーム１１を内蔵したカップ２はさらにブラジャー１の布地中に内装されるので、硬質プラスチックフレーム１１はブラジャー１を着用しても直接身体の肌に当接することはない。さらに、カップ２の身体の脇側１６と胸中央側１８の部分には上記のように硬質プラスチックフレーム１１が内蔵されていないので、カップ２の身体の脇側１６と胸中央側１８の部分がカップ２の素材のみであるので身体に優しく当接され、着用者は身体に苦痛を覚えることがない。
【００１７】
この硬質プラスチックフレーム１１を内蔵したカップ２を図１のＡ−Ａ切断の断面である図２で説明すると、図２のカップ２はウレタンフォーム５から加熱成型してなるもので、内側ウレタンフォーム６と外側ウレタンフォーム７の二重構造からなっているものである。すなわち、内側ウレタンフォーム６と外側ウレタンフォーム７のそれぞれは、図示しないカップ状の凹部と凸部を有する上金型と下金型からなる成型金型によりカップ状に加熱成型されたものである。先ず、内側ウレタンフォーム６は厚さ１０〜１５ｍｍに発泡させた平板状のウレタンフォームを上金型と下金型からなる成型金型によりカップ状に加熱成型したものである。次いで、下金型のカップ状成型からなる内側ウレタンフォーム６のカップ下部周縁部３とカップ立ち上がり部４の部分にカップ２の周縁形状かつ断面く字状にあらかじめプレス成型した硬質プラスチックフレーム１１を載置し、さらにこれらの上に外側ウレタンフォーム７となる厚さ１０〜１５ｍｍに発泡させた平板状のウレタンフォームを載置し、上金型を被せて約２００℃に約１００秒間加熱して両プラスチックフォームのカップ下部周縁部３と硬質プラスチックフレーム１１の部分のみを加圧・熱融着してカップ２に成型する。
【００１８】
さらに、他の実施の形態では、平板状の１枚のウレタンフォーム５のカップ下辺部形状の乳房サポートの位置の内外面の中央部分を割いて生じた隙間内に、あらかじめ乳房サポート目的のカップ２の周縁形状にカットした平板状の硬質プラスチックフレーム１１を入れ込んだもので、このように平板状の硬質プラスチックフレーム１１を入れ込んだ後、このウレタンフォーム５を上金型と下金型からなる成型金型により一度の加熱成型により断面く字状の硬質プラスチックフレーム１１を内蔵するカップ２の形状に成型する。
【００１９】
さらに、他の実施の形態では、上記のウレタンフォーム５に代えて不織布８をカップ２に加熱成型したものである。この場合、ウレタンフォーム製のカップ２を製造する場合と同様に、内側不織布９と外側不織布１０からそれぞれカップ状に成型してなるものを用いてカップ２にのカップ下部周縁部３とカップ立ち上がり部４の部分に硬質プラスチックフレーム１１を内蔵させて成型するものである。
【００２０】
また、さらに他の実施の形態では、上記の内側不織布９と外側不織布１０の２枚の不織布の成型体からなるものとことなり、１枚の不織布８の下部周辺を内外に割り込み、この間に平板状の硬質プラスチックフレーム１１を入れ込んだ後、この不織布８を上金型と下金型からなる成型金型により一度の加熱成型により断面く字状の硬質プラスチックフレーム１１を内蔵するカップ２の形状に成型するものである。
【００２１】
以上において、カップ２に内蔵させる硬質プラスチックフレーム１１はポリアミド、ポリエステル、ポリカーボネート、ポリエチレンテレフタレート等の硬質弾性プラスチックプレートから成型したものである。なお、本発明では、硬質プラスチックフレームは、断面くの字状にしてカップ下部周縁部３とカップ立ち上がり部４の部分の両部ににわたって内蔵させている。しかし、断面平板状の硬質プラスチックフレームをカップ下部周縁部３の部分あるいはカップ立ち上がり部４の部分のみに内蔵させることもできるが、この場合は断面くの字のものに比し曲げ強度がやや劣ることとなる。
【００２２】
さらに、本発明の実施の形態のブラジャー１用のカップ２は、硬質プラスチックフレーム１１をカップ２の素材中に内蔵させた構造であるので、内蔵の硬質プラスチックフレーム１１がブラジャーカップ芯として、乳房自体の下辺部を持ち上げてサポートし、振動を和らげ安定させる。しかも、従来はブラジャー縫製工程において、ブラジャー１の布地内に袋を設け、この袋内に硬質プラスチックフレーム１１を縫い込んで縫製工程の一工程としていたが、本発明の場合は、カップ２に内蔵させているので、手間の掛かる縫製工程が省工程化される。さらに、硬質プラスチックフレーム１１はウレタンフォームあるいは不織布から成型したカップ２内に内蔵させているので、ウレタンフォームあるいは不織布が防護作用により乳房の胸まわりの食い込み、痛みを軽減し、装着時の違和感を無くしている。さらに硬質プラスチックフレーム１１がブラジャー１からの飛び出しおよびねじれを解消している。硬質プラスチックフレーム１１の乳房サポート材はポリアミド、ポリエステル、ポリカーボネート、ポリエチレンテレフタレート等からなるので、ウレタンフォームや不織布からカップに成型する２００〜２１０℃の温度に耐熱性があり、粘り強く、機械的強度、耐衝撃性に優れ、かつ、曲げ弾性に強く、ブラジャー１のカップ２の形状を長期間にわたり維持できる。
【００２３】
【発明の効果】
以上に説明したとおり、本発明に係る硬質プラスチックフレームを内蔵したウレタンフォームあるいは不織布から成型されたカップおよびこのカップを内在するブラジャーは、従来のブラジャーの布地内にワイヤーや硬質プラスチックフレームを直接挿入したものと相違し、カップ部の下端部周辺の位置で硬質プラスチックフレーム部分がブラジャーの外に突出して肌に直接に当接することがないので、肌を傷つけることがなく、さらに肌にカップの素材にくるまれて当接するので肌に痛みを覚えることなく、しかも長期間にわたって硬質プラスチックフレームの乳房のサポート力が発揮できるなど、従来にない優れた効果を奏するものである。
【図面の簡単な説明】
【図１】本発明の１実施の形態の硬質プラスチックフレーム内臓のカップを示す平面図である。
【図２】図１の矢視Ａ−Ａで示すカップの模式的断面図である。
【図３】図１の矢視Ａ−Ａで示す本発明の他の実施の形態のカップの模式的断面図である。
【図４】本発明のカップを内装するブラジャーを示す模式図である。
【符号の説明】
１  ブラジャー
２  カップ
３  カップ下部周縁部
４  カップ立ち上がり部
５  ウレタンフォーム
６  内側ウレタンフォーム
７  外側ウレタンフォーム
８  不織布
９  内側不織布
１０  外側不織布
１１  硬質プラスチックフレーム
１２  アンダーバスト
１３  ブラジャーベース
１４  ベルト
１５  ストラップ
１６  身体の脇側
１７  カップの下側
１８  胸中央側
【図１】
2004308066.tif 000003
【図２】
2004308066.tif 000004
【図３】
2004308066.tif 000005
【図４】
2004308066.tif 000006